(57)【要約】【課題】録画する場合に必要最小限の容量で済ませることができ、効率よく録画・視聴することができる受信装置、ナビゲーション装置及び放送システムを提供する。【解決手段】配信される番組と番組内で紹介される各スポット情報の放送開始時間を含むＥＰＧ（Electronic Program Guide）情報とを受信するチューナ部２０２と、チューナ部により受信されるＥＰＧ情報を抽出するＥＰＧ情報抽出部２０６と、ＥＰＧ情報抽出部により抽出されるＥＰＧ情報から、録画予約されたスポット情報の放送開始時間を抽出するＥＰＧ処理部２０９と、ＥＰＧ処理部により抽出される放送開始時間に従い、チューナ部により受信される番組を録画する予約制御部２１０とを有する。【選択図】図１
2010288191.tif 000002
【特許請求の範囲】
【請求項１】
配信される番組と前記番組内で紹介される各スポット情報の放送開始時間を含むＥＰＧ（Electronic Program Guide）情報とを受信するチューナ部と、
前記チューナ部により受信される前記ＥＰＧ情報を抽出するＥＰＧ情報抽出部と、
前記ＥＰＧ情報抽出部により抽出されるＥＰＧ情報から録画予約されたスポット情報の放送開始時間を抽出するＥＰＧ処理部と、
前記ＥＰＧ処理部により抽出される放送開始時間に従い、前記チューナ部により受信される番組を録画する予約制御部と
を有する受信機。
【請求項２】
ナビゲーション装置により選択される番組を録画する受信機において、
配信される前記番組と前記番組内で紹介される各スポット情報の放送開始時間を含むＥＰＧ情報とを受信するチューナ部と、
前記チューナ部により受信される前記ＥＰＧ情報を抽出するＥＰＧ情報抽出部と、
前記ＥＰＧ情報抽出部により抽出されるＥＰＧ情報に含まれるスポット情報を前記ナビゲーション装置に送信し、前記ナビゲーション装置により選択されるスポット情報を受信する通信部と、
前記ＥＰＧ情報抽出部により抽出されるＥＰＧ情報から、前記通信部から受信するスポット情報に対応する番組の録画予約を行い、当該番組のスポット情報の放送開始時間を抽出するＥＰＧ処理部と、
前記ＥＰＧ処理部により抽出される放送開始時間に従い、前記チューナ部により受信される番組を録画する予約制御部と
を有することを特徴とする受信機。
【請求項３】
前記チューナ部により受信されるＥＰＧ情報は、ＥＩＴ(Event Information Table)から構成されることを特徴とする請求項１または請求項２記載の受信機。
【請求項４】
受信機に録画させる番組を選択するナビゲーション装置において、
前記受信機からスポット情報を受信し、選択したスポット情報を前記受信機に送信する通信部と、
ユーザが移動した経路をユーザ経路情報として蓄積するユーザ経路情報蓄積部と、
前記通信部により受信されるスポット情報と前記ユーザ経路情報蓄積部から抽出したユーザ経路情報とに基づいて、これまでにユーザが通過した経路の近くにスポットが存在するかを判定する経路判定部と、
前記経路判定部により、これまでにユーザが通過した経路の近くにスポットが存在する場合に、当該スポット情報を選択するスポット情報選択部と
を有するナビゲーション装置。
【請求項５】
番組を録画する受信機と、前記受信機に録画させる番組を選択するナビゲーション装置とを備えた放送システムにおいて、
前記受信機は、
配信される前記番組と前記番組内で紹介される各スポット情報の放送開始時間を含むＥＰＧ情報とを受信するチューナ部と、
前記チューナ部により受信される前記ＥＰＧ情報を抽出するＥＰＧ情報抽出部と、
前記ＥＰＧ情報抽出部により抽出されるＥＰＧ情報に含まれるスポット情報を前記ナビゲーション装置に送信し、前記ナビゲーション装置により選択されるスポット情報を受信する通信部と、
前記ＥＰＧ情報抽出部により抽出されるＥＰＧ情報から、前記通信部により受信されるスポット情報に対応する番組の録画予約を行い、当該番組の当該スポット情報の放送開始時間を抽出するＥＰＧ処理部と、
前記ＥＰＧ処理部により抽出される放送開始時間情報に従い、前記チューナ部により受信される番組を録画する予約制御部とを有し、
前記ナビゲーション装置は、
前記受信機からスポット情報を受信し、選択したスポット情報を前記受信機に送信する通信部と、
ユーザが移動した経路をユーザ経路情報として蓄積するユーザ経路情報蓄積部と、
前記通信部により受信されるスポット情報と前記ユーザ経路情報蓄積部から抽出したユーザ経路情報とに基づいて、これまでにユーザが通過した経路の近くにスポットが存在するかを判定する経路判定部と、
前記経路判定部により、これまでにユーザが通過した経路の近くにスポットが存在する場合に、当該スポット情報を選択するスポット情報選択部とを有する
ことを特徴とする放送システム。
【請求項６】
前記チューナ部により受信されるＥＰＧ情報は、ＥＩＴ(Event Information Table)から構成されることを特徴とする請求項５記載の放送システム。
【発明の詳細な説明】
【技術分野】
【０００１】
この発明は、例えば、番組内で紹介されるスポット情報の放送開始箇所を番組データから抽出することにより録画を行う受信装置、ナビゲーション装置及び放送システムに関するものである。
【背景技術】
【０００２】
番組配列情報を活用して、観光スポット、レストラン、ホテルなどの位置情報を提供する従来の放送システムでは、デジタル放送でＳＩ（Service Information)として規定されるＥＰＧ（Electronic Program Guide：電子番組ガイド）情報を利用して、番組内で紹介されたスポット（観光スポット、レストラン、ホテルなど）を目的地として、移動体のナビゲーション装置と連動することにより、目的地を設定して、ナビゲーションを可能としている（例えば、特許文献１参照）。
【０００３】
このＥＰＧ情報には、番組毎に番組タイトル、放送日時、内容の説明など番組に関する情報（番組関連情報）が格納される。特に旅、紀行、グルメ番組などにおいては、その番組で紹介される場所、名所・旧跡、イベント情報、宿・レストランなどが、その名称と共に電話番号、住所、ＵＲＬなども含めてＥＰＧ情報に蓄積される。
【０００４】
また、このＥＰＧ情報は、番組の編成チャンネル名称などを示すＳＤＴ（Service Description Table）、番組名、放送日、放送内容など番組情報を示すＥＩＴ(Event Information Table)、放送局に関する情報ＢＩＴ(Broadcaster Information Table)、時刻情報に関するＴＯＴ(Time Offset Table)などから作成される。
【０００５】
このように、番組内で紹介されたスポット情報をＥＰＧ情報から直接抽出し、目的地情報としてナビゲーション装置に送ることにより、ユーザは場所入力の手間なしに、希望のスポット情報を確実にナビ入力することが可能となる。
【先行技術文献】
【特許文献】
【０００６】
【特許文献１】特開２００８−１７０１５７号公報
【発明の概要】
【発明が解決しようとする課題】
【０００７】
しかしながら、特許文献１に開示される従来の放送システムでは、番組内で紹介されたスポットの位置情報のみを提供するものであり、番組内のどの放送部分がスポット情報を示す放送部分であるのかについては明確になっていないという課題があった。そのため、番組を録画予約する際に、ユーザが所望するスポット情報のみを録画したい場合においても、番組全てを録画せざるを得ず、本来必要としない部分まで録画する必要があるという課題があった。
【０００８】
また、録画予約する際に、ユーザは、所望するスポット情報が放送される番組を探し出し、受信機に対して設定しなければならず、ユーザがよく訪れる場所やよく運転する経路に近いスポット情報を含む放送があった場合に、ユーザは視聴または録画し損なうことがあるという課題があった。
【０００９】
この発明は上記のような課題を解消するためになされたものであり、番組内で紹介されているスポット情報の放送部分が、番組のどの部分に割り当てられているのかを明確化することにより、録画する場合に必要最小限の容量で済ませることができ、効率よく録画・視聴することができる受信装置、ナビゲーション装置及び放送システムを提供することを目的としている。
【課題を解決するための手段】
【００１０】
この発明に係る受信機は、配信される番組と番組内で紹介される各スポット情報の放送開始時間を含むＥＰＧ（Electronic Program Guide）情報とを受信するチューナ部と、チューナ部により受信されるＥＰＧ情報を抽出するＥＰＧ情報抽出部と、ＥＰＧ情報抽出部により抽出されるＥＰＧ情報から、録画予約されたスポット情報の放送開始時間を抽出するＥＰＧ処理部と、ＥＰＧ処理部により抽出される放送開始時間に従い、チューナ部により受信される番組を録画する予約制御部とを有するものである。
【発明の効果】
【００１１】
この発明によれば、上記のように構成したので、番組内で紹介されているスポット情報の放送部分が、番組のどの部分に割り当てられているのかを把握することができ、番組全体を録画することなく、所望の放送部分だけを録画することができるため、記録媒体であるＨＤＤやビデオテープを無駄に消費することなく効率よく録画・視聴することができる。
【図面の簡単な説明】
【００１２】
【図１】この発明の実施の形態１に係る放送システムの構成を示すブロック図である。
【図２】この発明の実施の形態１におけるＥＩＴの記述子を示す図である。
【図３】この発明の実施の形態１に係る放送システムの番組録画予約処理を示すフローチャートである。
【図４】この発明の実施の形態１におけるディスクプレイに表示される番組表を示す図である。
【図５】この発明の実施の形態１におけるディスプレイに表示される番組詳細画面を示す図である。
【図６】この発明の実施の形態１におけるディスプレイに表示される予約済みアイコンが表示された番組詳細画面を示す図である。
【図７】この発明の実施の形態１における予約登録リストを示す図である。
【図８】この発明の実施の形態２に係る放送システムの構成を示すブロック図である。
【図９】この発明の実施の形態２に係る放送システムの番組録画予約処理を示すフローチャートである。
【図１０】この発明の実施の形態２におけるスポット情報リストを示す図である。
【図１１】この発明の実施の形態２における番組録画予約処理のスポットとユーザ経路情報との比較処理に用いられる図である。
【図１２】この発明の実施の形態２におけるチェック済みのスポット情報リストを示す図である。
【発明を実施するための形態】
【００１３】
以下、この発明の実施の形態について図面を参照しながら詳細に説明する。
実施の形態１．
図１はこの発明の実施の形態１における放送システムの構成を示すブロック図である。
放送システムは、図１に示すように、放送局１及び受信機２により構成される。
【００１４】
放送局１は、テレビ番組に関する種々の番組情報を番組データとして編集するものである。この放送局１は、図１に示すように、配信用ＥＰＧデータベース１０１、ＥＰＧ情報編集部１０２及びＥＰＧ情報アップリンク部１０３により構成される。
【００１５】
配信用ＥＰＧデータベース１０１は、テレビ番組に関する種々の番組データが蓄積されるものである。この配信用ＥＰＧデータベース１０１には、各放送局１の番組ごとに番組タイトル、放送日時、内容の説明などの番組に関するＥＰＧ情報が格納される。この発明の実施の形態では、ＥＰＧ情報を構成する番組データとしてＥＩＴを用いる。このＥＩＴには、番組名（event_name）、視聴しているチャンネルのネットワーク識別（network_id）、トランスポートストリーム識別（ts_id）、オリジナルネットワーク識別（original_network_id）、サービス識別（service_id）、イベント識別（event_id）、放送開始時間（start_time）、番組長（duration）などの情報が含まれている。
この配信用ＥＰＧデータベース１０１に蓄積されるＥＰＧ情報は、現時点を基準として、例えば、１週間分の番組データが定時的に蓄積されており、番組が編集される度、または、定時的に随時更新されるものである。
【００１６】
ここで、配信用ＥＰＧデータベース１０１に蓄積されるＥＰＧ情報を構成するＥＩＴについて説明する。
図２はこの発明の実施の形態１におけるＥＩＴの記述子を示す図である。
図２に示すように、ＥＰＧ情報を構成するＥＩＴには、番組の情報を記述する記述子が割り当てられている。ここで、特に旅、紀行、グルメ番組などのスポット情報を含む番組に対しては、拡張形式イベント記述子にその内容を記載し、その番組で紹介される場所、名所・旧跡、イベント情報、宿・レストランなどが、その名称（name）と共に、各スポットを識別するためのスポット識別（spot_id）、電話番号（tel）、住所（address）、番組開始時刻を基準とした際のスポット情報の放送開始時間を示すオフセット（offset）及びスポット情報の放送時間（duration）が記載されている。ここで、このスポット情報を記載する記述子は拡張形式イベント記述子であるとしたが、新規に記述子を割り当て記載しても良い。
【００１７】
このＥＩＴの拡張形式イベント記述子は、項目毎に全角２００文字（バイトサイズでは４４０バイト）までの記載が許されており、本項目のうちの一つに『スポット情報』を割り当てて、スポット情報を記載する。その際には、電話番号、住所などはある予約語により統一し、この予約語に続く内容が電話番号であり、あるいは住所であると判断する。
【００１８】
ＥＰＧ情報編集部１０２は、配信用ＥＰＧデータベース１０１からＥＰＧ情報を取得し、このＥＰＧ情報を放送配信用のＥＰＧ情報に編集するものである。このＥＰＧ情報編集部１０２により編集されるＥＰＧ情報はＥＰＧ情報アップリンク部１０３に送信される。
【００１９】
ＥＰＧ情報アップリンク部１０３は、ＥＰＧ情報編集部１０２から送信されるＥＰＧ情報と番組とを重畳させた放送波を、ＴＶ放送送信アンテナ１０４を介して受信機２に配信するものである。
【００２０】
ここで、このＥＩＴの配信の方法としては、電波などの放送波による配信、インターネットなどのネットワーク配信、あるいはケーブルや有線放送などの有線回線配信のいずれかで配信される。デジタル放送のデジタル回線配信では、ＥＩＴはデータパケット形式で放送波中に組み込まれて配信されている。地上波でのデジタル放送では、地上波用アンテナ経由で、また、衛星放送では衛星を介してコンテンツ（番組映像・音声）情報と共に送信される。
【００２１】
受信機２は、放送局１から配信される放送波をＴＶアンテナ２０１を介して受信し、この放送波に含まれる番組を視聴し、放送波に含まれるＥＰＧ情報に基づいてユーザがリモコン３を介して番組の録画を行うものである。この受信機２は、図１に示すように、チューナ部２０２、デマックス部２０３、デコード部２０４、ディスプレイ２０５、ＥＰＧ情報抽出部２０６、ＥＰＧ情報構築部２０７、ＥＰＧデータベース２０８、ＥＰＧ処理部２０９、予約制御部２１０、記憶部２１１、制御部２１２、タイマ２１３及びストリーム蓄積部２１４により構成される。
【００２２】
チューナ部２０２は、放送局１のＴＶ放送送信アンテナ１０４から配信される、番組と番組内で紹介される各スポット情報の放送開始時間等を含むＥＰＧ情報とが重畳させられた放送波を、ＴＶアンテナ２０１を介して受信するものである。このチューナ部２０２により受信される放送波は、放送信号に変換されデマックス部２０３及びＥＰＧ情報抽出部２０６に送信される。
【００２３】
デマックス部２０３は、チューナ部２０２から送信される放送信号から番組を抽出して放送ストリームを生成するものである。このデマックス部２０３により生成される放送ストリームはデコード部２０４に送信される。また、このデマックス部２０３は、予約制御部２１０による制御に基づいて、生成した放送ストリームをストリーム蓄積部２１４に送信する。
【００２４】
デコード部２０４は、デマックス部２０３から送信される放送ストリームを映像信号にデコードするものである。このデコード部２０４によりデコードされた映像信号はディスプレイ２０５に送信される。
【００２５】
ディスプレイ２０５は、デコード部２０４から送信される映像信号を表示するものである。また、ディスプレイ２０５は、ＥＰＧ処理部２０９により生成される番組表及び番組詳細画面等を表示するものである。
【００２６】
ＥＰＧ情報抽出部２０６は、チューナ部２０２から送信される放送信号からＥＰＧ情報を抽出するものである。ここで、ＥＰＧ情報抽出部２０６は、放送波のＥＰＧ情報が格納されている所定部分のパケットを、識別子(Packet ID)により識別することにより抽出する。このＥＰＧ情報抽出部２０６により抽出されるＥＰＧ情報はＥＰＧ情報構築部２０７に送信される。
【００２７】
ＥＰＧ情報構築部２０７は、ＥＰＧ情報抽出部２０６から送信されるＥＰＧ情報を、ＥＰＧ情報を構成するのに必要なデータのみに構築する。このＥＰＧ情報構築部２０７により最低限のデータのみに構築されるＥＰＧ情報はＥＰＧデータベース２０８に送信される。
【００２８】
ＥＰＧデータベース２０８は、ＥＰＧ情報構築部２０７から送信される最低限のデータのみのＥＰＧ情報を蓄積するものである。このＥＰＧデータベース２０８は、ＥＰＧメモリーやその他の記憶装置により構成される。このＥＰＧデータベース２０８に蓄積されるＥＰＧ情報は必要に応じてＥＰＧ処理部２０９により抽出される。
【００２９】
ＥＰＧ処理部２０９は、ユーザからリモコン３を介して行われる操作に従い、ＥＰＧデータベース２０８から所望のＥＰＧ情報を抽出し、この抽出したＥＰＧ情報に基づいて、番組表及び番組詳細画面を生成して、ディスプレイ２０５に表示させるものである。また、ＥＰＧ処理部２０９は、ユーザからリモコン３を介して番組の録画予約を行う操作を受けて、番組の録画予約を行い、対応するＥＰＧ情報に基づいて、この録画予約された番組の録画情報（サービス識別・イベント識別・番組名・放送開始時間・番組長等）を生成して、予約制御部２１０に送信するものである。ここで、ユーザによる番組の録画予約がスポット情報に限定した放送部分である場合には、ＥＰＧ処理部２０９は、対応するＥＰＧ情報に基づいて、上記録画情報にスポット録画情報（スポット識別・オフセット・放送時間）をさらに追加した録画情報を生成して、予約制御部２１０に送信する。
【００３０】
予約制御部２１０は、ＥＰＧ処理部２０９から送信される録画情報を予約登録リストに登録するものである。また、予約制御部２１０は、予約登録リストに登録される番組またはスポット情報の放送開始時間に従い制御部２１２から送信される録画開始通知に応じて、デマックス部２０３により生成される放送波ストリームをストリーム蓄積部２１４に蓄積させることにより、所望の番組の録画を行うものである。この予約制御部２１０により登録される予約登録リストは記憶部２１１及び制御部２１２に送信される。
【００３１】
記憶部２１１は、予約制御部２１０から送信される予約登録リストを記憶するものである。
【００３２】
制御部２１２は、予約制御部２１０から送信される予約登録リストから、この予約登録リストに登録される録画情報から番組またはスポット情報の放送開始時間を抽出し、タイマ２１３に登録させるものである。また、制御部２１２は、タイマ２１３から、録画予約した番組またはスポット情報の放送開始時間の数分前に録画の準備を要求する通知を受信する。そして制御部２１２は、タイマ２１３から録画予約した番組またはスポット情報の放送開始時間であることを示すタイマ通知を受信した場合に、予約制御部２１０に番組の録画開始を示す録画開始通知を送信するものである。
【００３３】
タイマ２１３は、制御部２１２により予約登録リストに登録されている番組またはスポット情報の放送開始時間が登録されることにより、番組またはスポット情報の放送開始時間の数分前に録画の準備を要求する通知を制御部２１２に送信し、また、番組またはスポット情報の放送開始時間になった際に録画予約した番組またはスポット情報の放送開始時間であることを示すタイマ通知を制御部２１２に送信するものである。
【００３４】
ストリーム蓄積部２１４は、デマックス部２０３から送信される放送ストリームを蓄積するものである。
【００３５】
リモコン３は、ユーザが受信機２に対して各種操作を行うものである。このリモコン３から赤外線信号によりコマンドが送出され、受信機２に対して操作要求をする。ここでは赤外線信号を受け付ける受光部等の説明は省略する。
【００３６】
次に、以上のように構成されたデジタル放送システムの受信機２によるスポット情報の番組録画処理について説明する。
なお、ここではデジタル放送システムを用いて、放送日時が２００８年３月２６日１：００：００の番組である、“美人おかみの宿紹介”で紹介されるスポット情報を録画予約する場合について説明する。
図３はこの発明の実施の形態１に係る放送システムの番組録画予約処理を示すフローチャートである。また、図４はこの発明の実施の形態１におけるディスプレイ２０５に表示される番組表を示す図である。また、図５はこの発明の実施の形態１におけるディスプレイ２０５に表示される番組詳細画面を示す図である。また、図６はこの発明の実施の形態１におけるディスプレイ２０５に表示される予約済みアイコンが表示された番組詳細画面を示す図である。また、図７はこの発明の実施の形態１における予約登録リストを示す図である。
【００３７】
まず、番組録画処理では、図３に示すように、チューナ部２０２は放送波を受信する（ステップＳＴ３１）。すなわち、受信機２のチューナ部２０２は、放送局１から配信される放送波をＴＶアンテナ２０１を介して受信する。この放送波にはＥＰＧ情報を構成する番組データとして、図２に示すようなＥＩＴが重畳されており、チューナ部２０２は例えば約１週間分のＥＩＴを含む放送波を受信する。このチューナ部２０２により受信される放送波は、放送信号に変換されデマックス部２０３及びＥＰＧ情報抽出部２０６に送信される。
【００３８】
ここで、デマックス部２０３はチューナ部２０２から送信される放送信号から番組を抽出することにより放送ストリームが生成する。次いで、デコード部２０４はデマックス部２０３により生成される放送ストリームを映像信号にデコードする。次いで、デコード部２０４によりデコードされる映像信号をディスプレイ２０５に表示することにより、ユーザは番組を視聴することができる。
【００３９】
次いで、ＥＰＧ情報抽出部２０６はＥＰＧ情報を抽出する（ステップＳＴ３２）。すなわち、ＥＰＧ情報抽出部２０６は、チューナ部２０２から送信される放送信号からＥＰＧ情報を抽出する。このＥＰＧ情報抽出部２０６により抽出されるＥＰＧ情報はＥＰＧ情報構築部２０７に送信される。
【００４０】
次いで、ＥＰＧ情報構築部２０７はＥＰＧ情報を蓄積する（ステップＳＴ３３）。すなわち、ＥＰＧ情報構築部２０７は、ＥＰＧ情報抽出部２０６から送信されるＥＰＧ情報から、ＥＰＧ情報を構成するのに必要なデータのみに構築して、ＥＰＧデータベース２０８に蓄積させる。
【００４１】
次いで、ＥＰＧ処理部２０９は番組表を表示する（ステップＳＴ３４）。すなわち、ユーザからリモコン３を介して行われる操作を受けて、ＥＰＧ処理部２０９は、ＥＰＧデータベース２０８から所望のＥＰＧ情報を取得し、この取得したＥＰＧ情報から番組情報を生成し、ディスプレイ２０５に図４に示すような番組情報を表示する。
【００４２】
なお、このディスプレイ２０５に表示される番組表は、ディスプレイ２０５と連動して使用される。この番組表の機能としては、配信されたＥＰＧ情報に基づき番組の録画予約を行う機能及び各番組の詳細情報である番組詳細画面の表示へ導く機能を有している。
【００４３】
次いで、ＥＰＧ処理部２０９は番組詳細画面を表示させる（ステップＳＴ３５）。すなわち、ＥＰＧ処理部２０９は、ユーザからリモコン３を介してディスプレイ２０５に表示される番組表の中から、予約希望番組である“美人おかみの宿紹介”を選択する操作を受けて、対応するＥＰＧ情報に基づいて、ディスプレイ２０５に、図５に示すようなユーザが選択する番組の詳細情報を示す番組詳細画面を表示する。
【００４４】
なお、このディスプレイ２０５に表示される番組詳細画面は、ディスプレイ２０５と連動して使用され、当該番組にスポット情報が存在する場合には、そのスポット情報が一覧で表示される。また、各スポット情報はリモコン３により選択が可能であり、この各スポット情報はＥＰＧ情報のスポット識別（spot_id）とリンクしている。
【００４５】
次いで、ＥＰＧ処理部２０９は番組の録画予約をする（ステップＳＴ３６）。すなわち、ＥＰＧ処理部２０９は、ユーザからリモコン３を介して、ディスプレイ２０５に表示される番組詳細情報から所望のスポット情報を選択する操作を受けて、番組の中で紹介されるスポット情報の中からユーザの希望するスポット情報の放送部分だけを録画予約する。この録画予約により、図６に示すように、ディスプレイ２０５の番組詳細画面上に予約済みアイコンが表示される。
【００４６】
次いで、ＥＰＧ処理部２０９は録画情報を生成する（ステップＳＴ３７）。すなわち、ＥＰＧ処理部２０９は、録画予約した番組に対応するＥＰＧ情報に基づいて、録画予約した番組の録画情報（サービス識別・イベント識別・番組名・放送開始時間・番組長・スポット識別・オフセット・放送時間等）を生成する。このＥＰＧ処理部２０９により生成される録画情報は予約制御部２１０に送信される。
【００４７】
次いで、予約制御部２１０は録画情報を予約登録リストに登録する（ステップＳＴ３８）。すなわち、予約制御部２１０は、ＥＰＧ処理部２０９から送信される録画予約した番組の録画情報を、図７に示すような予約登録リストに登録する。この予約制御部２１０により登録される予約登録リストは制御部２１２に送信され、記憶部２１１に記憶させる。
【００４８】
次いで、制御部２１２はタイマを設定する（ステップＳＴ３９）。すなわち、制御部２１２は、予約制御部２１０から送信される予約登録リストに登録される録画情報に含まれる番組の放送開始時間に、番組開始時刻を基準とした際の録画するスポット情報の放送開始時間を示すオフセットを加えたスポット情報の放送開始時間をタイマ２１３に登録させる。
【００４９】
次いで、予約制御部２１０は番組を録画する（ステップＳＴ４０）。すなわち、録画予約した番組のスポット情報の放送開始時間の数分前になると、タイマ２１３は、制御部２１２に録画の準備を要求する通知を送信する。そして録画予約された番組のスポット情報の放送開始時間になると、タイマ２１３は制御部２１２に録画予約した番組のスポット情報の放送開始時間であることを示すタイマ通知を送信する。このタイマ通知を受信した制御部２１２は、予約制御部２１０に録画開始を示す通知を送信する。この録画開始通知を受信した予約制御部２１０は、デマックス部２０３から送信される放送波ストリームをストリーム蓄積部２１４に蓄積させる。
【００５０】
以上のように、この発明の実施の形態１によれば、番組で紹介されるスポット情報の放送開始時間を含むＥＰＧ情報を取得して、このＥＰＧ情報に基づいて番組の録画予約を行うように構成したので、番組内で紹介されているスポット情報の放送部分が、番組のどの部分に割り当てられているのかを把握することができ、番組全体を蓄積することなく、所望の放送部分だけを蓄積することができるため、記録媒体であるＨＤＤやビデオテープを無駄に消費せずに効率よく録画・視聴することができる。
【００５１】
実施の形態２．
この発明の実施の形態１に係る放送システムでは、ユーザがリモコン３を介して所望のスポット情報を録画するように構成したものであるが、この発明の実施の形態２に係る放送システムは、カーナビゲーション装置４と連動させて、ユーザがこれまで通過した経路付近に存在するスポット情報を録画するように構成したものである。
【００５２】
図８はこの発明の実施の形態２に係る放送システムの構成を示すブロック図である。
この発明の実施の形態２に係る放送システムは、図１に示す、この発明の実施の形態１に係る放送システムに、カーナビゲーション装置４を追加し、さらに、受信機２に、ＥＰＧ情報に含まれるスポット情報からスポット情報リストを作成するためのスポット情報リスト作成部２１５及びカーナビゲーション装置４と通信を行うための通信部２１６を追加したものである。
以下、図１に示す、この発明の実施の形態１に係る放送システムと同一または同様の構成については、同一の符号を付し、その説明を省略する。
【００５３】
スポット情報リスト作成部２１５は、ＥＰＧ情報抽出部２０６により抽出されるＥＰＧ情報を受信し、このＥＰＧ情報から各スポット情報を抽出することにより、スポット情報リストを作成するものである。このスポット情報リストは例えば、定期的な更新時や、放送局１毎にＥＰＧ情報が全て揃ったときなどに作成される。このスポット情報リスト作成部２１５により作成されるスポット情報リストは通信部２１６に送信される。
【００５４】
通信部２１６は、スポット情報リスト作成部２１５から送信されるスポット情報リストをカーナビゲーション装置４に送信するものである。また、この通信部２１６は、カーナビゲーション装置４により選択されるスポット情報にチェックが付けられたチェック済みのスポット情報リストを受信するものである。この通信部２１６により受信されるチェック済みのスポット情報リストはＥＰＧ処理部２０９に送信される。
【００５５】
また、ＥＰＧ処理部２０９は、この発明の実施の形態１の機能に加えて、ＥＰＧ情報抽出部２０６により抽出されるＥＰＧ情報から、通信部２１６により受信されるスポット情報リストに含まれる選択されたスポット情報に該当する番組の録画予約を行い、スポット録画情報を含む録画情報を生成する機能を有する。
【００５６】
カーナビゲーション装置４は、地図情報と併せて比較・処理され現在位置の表示やナビゲーションを行うものであり、また、受信機２から送信される各スポット情報が記録されるスポット情報リストから所望のスポット情報を選択し、受信機２にこのスポット情報が紹介される番組を録画させるものである。このカーナビゲーション装置４は、図８に示すように、位置検出部４０２、通信部４０３、地図情報データベース４０４、緯度・経度変換部４０５、ユーザ経路情報蓄積部４０６、経路判定部４０７及びスポット情報選択部４０８により構成される。
【００５７】
位置検出部４０２は、ＧＰＳ衛星５からＧＰＳアンテナ４０１を介して自車の現在位置情報を検出するものである。この位置検出部４０２により検出される自車の現在位置情報は、ユーザ経路情報蓄積部４０６に送信される。
【００５８】
通信部４０３は、受信機２の通信部２１６から送信される各スポット情報が記録されるスポット情報リストを受信するものである。また、通信部４０３は、選択したスポット情報にチェックが付けられたチェック済みのスポット情報リストを受信機２の通信部２１６に送信するものである。この通信部４０３により受信されるスポット情報リストは緯度・経度変換部４０５に送信される。
ここで、このカーナビゲーション装置４の通信部４０３と受信機２の通信部２１６との通信は、無線通信を想定するが、受信機２が移動体向けのものである場合には、受信機２とカーナビゲーション装置４とを有線にて通信接続して構成しても良い。
【００５９】
地図情報データベース４０４は、住所、電話番号及び目的地名（地域名、建物・施設名、場所名など）が予め登録されており、緯度・経度情報を含む目的地情報として蓄積されるものである。この地図情報データベース４０４に蓄積される目的地情報は緯度・経度変換部４０５により抽出される。
【００６０】
緯度・経度変換部４０５は、通信部４０３から送信されるスポット情報リストに記録される各スポットの電話番号や住所を、地図情報データベース４０４から抽出した目的地情報と照合することにより、各スポットの緯度・経度を割り出すものである。この緯度・経度変換部４０５により変換される各スポットの緯度・経度情報は経路判定部４０７に送信される。
【００６１】
ユーザ経路情報蓄積部４０６は、位置検出部４０２から送信される現在位置情報を逐一記録することにより、これまでにユーザが移動した経路や目的地として登録した経路をユーザ経路情報として蓄積するものである。このユーザ経路情報蓄積部４０６に蓄積されるユーザ経路情報は経路判定部４０７により抽出される。
【００６２】
経路判定部４０７は、緯度・経度変換部４０５から送信される各スポットの緯度・経度情報とユーザ経路情報蓄積部４０６から抽出したユーザ経路情報とに基づいて、これまでにユーザが通過した経路の近くにスポットが存在するか否かを判定するものである。
【００６３】
スポット情報選択部４０８は、経路判定部４０７がこれまでにユーザが通過した経路付近にスポットが存在すると判断した場合、このスポット情報を録画対象として選択し、スポット情報リストの当該スポット情報に該当することを示すチェックを付けるものである。
【００６４】
次に、上記のように構成される放送システムの動作について説明する。
図９はこの発明の実施の形態２に係る放送システムの番組録画予約処理を示すフローチャートである。また、図１０はこの発明の実施の形態２におけるスポット情報リストを示す図である。また、図１１はこの発明の実施の形態２における番組録画処理のスポットとユーザ経路情報との比較処理に用いられる図である。また、図１２はこの発明の実施の形態２におけるチェック済みのスポット情報リストを示す図である。
【００６５】
まず、番組予約処理では、図９に示すように、チューナ部２０２は放送波を受信する（ステップＳＴ３１）。次いで、ＥＰＧ情報抽出部２０６はＥＰＧ情報を抽出する（ステップＳＴ３２）。次いで、スポット情報リスト作成部２１５はスポット情報リストを作成する（ステップＳＴ９１）。すなわち、スポット情報リスト作成部２１５はＥＰＧ情報抽出部２０６により抽出されるＥＰＧ情報から各スポット情報を取り出し、図１０に示すようなスポット情報リストを作成する。このスポット情報リスト作成部２１５により作成されるスポット情報リストは通信部２１６に送信される。
【００６６】
次いで、通信部２１６はスポット情報リストを通信部４０３に送信する（ステップＳＴ９２）。すなわち、受信機２の通信部２１６は、スポット情報リスト作成部２１５から送信されるスポット情報リストをカーナビゲーション装置４の通信部４０３に送信する。
【００６７】
次いで、通信部４０３はスポット情報リストを受信する（ステップＳＴ９３）。すなわち、カーナビゲーション装置４の通信部４０３は、受信機２の通信部２１６から送信されるスポット情報リストを受信する。この通信部４０３により受信されたスポット情報リストは緯度・経度変換部４０５に送信される。
【００６８】
次いで、緯度・経度変換部４０５は緯度・経度情報に変換する（ステップＳＴ９４）。すなわち、緯度・経度変換部４０５では、通信部４０３から送信されるスポット情報リストに含まれる各スポット情報の電話番号や住所を、地図情報データベース４０４から抽出した目的地情報と照合することにより、各スポットの緯度・経度情報に変換する。この緯度・経度変換部４０５により変換される緯度・経度情報は経路判定部４０７に送信される。
【００６９】
次いで、経路判定部４０７はユーザが通過したことのある経路付近にスポットが存在するかを判定する（ステップＳＴ９５）。すなわち、経路判定部４０７は、緯度・経度変換部４０５から送信される、あるスポットの緯度・経度情報に基づいて、図１１に示すようなスポットを中心とする１辺が距離Ｄの正方形のエリアを生成し、ユーザ経路情報蓄積部４０６から抽出したユーザ経路情報と照合を行うことにより、このスポットを中心とする１辺が距離Ｄの正方形エリア内に、これまでにユーザが通過したことのある経路が存在するか否かを判定する。
【００７０】
このステップＳＴ９５において、経路判定部４０７が、ユーザがこれまでに通過したことのある経路付近にスポットが存在すると判定した場合には、次いで、スポット情報選択部４０８はスポット情報を選択する（ステップＳＴ９６）。すなわち、スポット情報選択部４０８は、このスポット情報を録画対象として選択し、図１２に示すように、スポット情報リストの当該スポットに該当することを示すチェックを付ける
【００７１】
一方、上記ステップＳＴ９５において、経路判定部４０７が、ユーザがこれまでに通過したことのある経路付近にスポットは存在しないと判定した場合には、シーケンスはステップＳＴ９７に進み、ステップＳＴ９６の処理は行わない。
【００７２】
次いで、カーナビゲーション装置４の不図示の制御部はスポット情報リスト内の全スポットに対して、ステップＳＴ９５の経路判定部４０７による判定が完了したかを判定する（ステップＳＴ９７）。すなわち、カーナビゲーション装置４の不図示の制御部は、スポット情報リスト内に含まれる全てのスポット情報について、経路判定部４０７によるユーザがこれまでに通過した経路付近にスポット情報が存在するか否かの判定が完了したか否かを判定する。
【００７３】
このステップＳＴ９７において、不図示の制御部が経路判定部４０７による全スポットの判定が終了していないと判定した場合には、シーケンスはステップＳＴ９５に戻り、上記の処理が繰り返される。
【００７４】
一方、上記ステップＳＴ９７において、不図示の制御部が経路判断部１６による全スポットの判定が終了したと判定した場合には、次いで、通信部４０３は、受信機２の通信部２１６にチェック済みのスポット情報リストを送信する（ステップＳＴ９８）。すなわち、カーナビゲーション装置４の通信部４０３は、経路判定部４０７による判定に基づいて、スポット情報選択部４０８により所望のスポット情報が選択されたチェック済みのスポット情報リストを受信機２の通信部２１６に送信する。
【００７５】
次いで、通信部２１６はチェック済みのスポット情報リストを受信する（ステップＳＴ９９）。すなわち、受信機２の通信部２１６は、カーナビゲーション装置４の通信部４０３から送信されるチェック済みのスポット情報リストを受信する。この通信部２１６により受信されるチェック済みのスポット情報リストはＥＰＧ処理部２０９に送信される。
【００７６】
次いで、ＥＰＧ処理部２０９は番組の録画予約をする（ステップＳＴ１００）。すなわち、ＥＰＧ処理部２０９は、ＥＰＧ情報抽出部２０６により抽出されるＥＰＧ情報から、通信部２１６から送信されるチェック済みのスポット情報リストに含まれる選択されたスポット情報に該当する番組の録画予約を行う。
【００７７】
次いで、ＥＰＧ処理部２０９は録画情報を生成する（ステップＳＴ３７）。次いで、予約制御部２１０は録画情報を予約登録リストに登録する（ステップＳＴ３８）。次いで、制御部２１２はタイマを設定する（ステップＳＴ３９）。次いで、予約制御部２１０は番組を録画する（ステップＳＴ４０）。
【００７８】
以上のようにこの発明の実施の形態２によれば、カーナビゲーション装置４は、カーナビゲーション装置４が保持するユーザ経路情報と受信機２から送信されるスポット情報リストとの比較処理を実施し、ユーザが通過したことのある経路付近にスポットが存在する場合に、このスポット情報が紹介される番組を受信機２に録画させるように構成したので、この発明の実施の形態１における効果に加えて、ユーザがよく訪れる場所やよく運転する経路に近い場所のスポット情報を含む番組の放送があった場合にも、ユーザからの設定に頼ることなく、録画・視聴することができる。
【符号の説明】
【００７９】
１  放送局、１０１  配信用ＥＰＧデータベース、１０２  ＥＰＧ情報編集部、１０３  ＥＰＧ情報アップリンク部、１０４  ＴＶ放送送信アンテナ、２  受信機、２０１  ＴＶアンテナ、２０２  チューナ部、２０３  デマックス部、２０４  デコード部、２０５  ディスプレイ、２０６  ＥＰＧ情報抽出部、２０７  ＥＰＧ情報構築部、２０８  ＥＰＧデータベース、２０９  ＥＰＧ処理部、２１０  予約制御部、２１１  記憶部、２１２  制御部、２１３  タイマ、２１４  ストリーム蓄積部、２１５  スポット情報リスト作成部、２１６  通信部、３  リモコン、４  カーナビゲーション装置、４０１  ＧＰＳアンテナ、４０２  位置検出部、４０３  通信部、４０４  地図情報データベース、４０５  緯度・経度変換部、４０６  ユーザ経路情報蓄積部、４０７  経路判定部、４０８  スポット情報選択部、５  ＧＰＳ衛星。
【図１】
2010288191.tif 000003
【図２】
2010288191.tif 000004
【図３】
2010288191.tif 000005
【図４】
2010288191.tif 000006
【図５】
2010288191.tif 000007
【図６】
2010288191.tif 000008
【図７】
2010288191.tif 000009
【図８】
2010288191.tif 000010
【図９】
2010288191.tif 000011
【図１０】
2010288191.tif 000012
【図１１】
2010288191.tif 000013
【図１２】
2010288191.tif 000014